(57)【要約】【課題】運搬者が、圧縮機内の冷媒が機外に漏れない姿勢に容易に保つことができ、比較的簡単に所望の設置場所に移動させることが可能な空気調和機の室外機を提供する。【解決手段】室外機２の外形をなす室外機ケーシング１００と、室外機ケーシング１００内に設けられた圧縮機１０と、室外機ケーシング１００の一側部の上部に設けられた取手２０R，２０Lとを備え、吐出配管３０１又は吸入配管３０２が配設されていない圧縮機１０の側部１０ｂとは異なる側の室外機ケーシング１００の背面部１０１に取手２０R，２０Lが設けられている。【選択図】図１
2010181130.tif 000002
【特許請求の範囲】
【請求項１】
当該室外機の外形をなす室外機ケーシングと、
前記室外機ケーシング内に設けられた圧縮機と、
前記室外機ケーシングをなす一側面の上部に設けられた取手とを備え、
吐出配管又は吸入配管の少なくとも一方が前記圧縮機の一側部寄りに配設され、当該吐出配管又は吸入配管が配設されている圧縮機側部とは異なる側の前記室外機ケーシングの側面に、前記取手が設けられている空気調和機の室外機。
【請求項２】
当該室外機の外形をなす室外機ケーシングと、
前記室外機ケーシング内に設けられた圧縮機と、
前記室外機ケーシングをなす一側面の上部に設けられた取手とを備え、
前記圧縮機には吐出配管及び吸入配管が配設され、当該一方の配管は、当該圧縮機に配設された他方の配管よりも、当該圧縮機における高さが低い位置に配設され、
少なくとも前記配設高さ位置が低い配管が配設されている側面とは異なる側の前記室外機ケーシングの側面に、前記取手が設けられている空気調和機の室外機。
【請求項３】
前記取手が設けられている前記室外機ケーシングの側面は、当該室外機ケーシングの背面とされている請求項１又は請求項２に記載の空気調和機の室外機。
【請求項４】
前記取手は、運搬者の手を受入可能に前記背面に形成された開口を有して当該開口から前記室外機ケーシング内部に向かって延びる受入口と、当該受入口から繋がって上方に延び、前記開口が形成されている前記背面側に折り返してなる曲折部と、当該曲折部を閉口させると共に当該曲折部の下部であって前記受入口の上部となる位置まで延び、前記運搬者による把持が可能に形成された把持部と、を有する請求項１乃至請求項３のいずれかに記載の空気調和機の室外機。
【請求項５】
前記室外機ケーシングの下部であって、前記取手が設けられている側面とは反対側となる側面寄りの部分が、前記運搬者の手を差し入れ可能な形状とされている請求項１乃至請求項４のいずれかに記載の空気調和機の室外機。
【請求項６】
前記取手は、前記室外機ケーシングの側面の上部に複数設けられている請求項１乃至請求項５のいずれかに記載の空気調和機の室外機。
【請求項７】
前記室外機ケーシング内に設けられ、冷媒回路により前記圧縮機に接続された熱交換器と、
前記室外機ケーシング内に設けられ、前記室外機ケーシング外の空気を取り込んで前記熱交換器に対して送風するファンと、
前記室外機ケーシングの上面に設けられ、前記ファンによる送風で前記熱交換器を通過した空気を上方に吹き出させて前記室外機ケーシング外に排出する排気口と
を更に備えた請求項１乃至請求項６のいずれかに記載の空気調和機の室外機。
【発明の詳細な説明】
【技術分野】
【０００１】
本発明は、空気調和機の室外機に関し、特に、運搬用の取手が設けられた室外機に関する。
【背景技術】
【０００２】
従来から、特許文献１に示されるように、空気調和機の室外機の運搬を容易にするために、当該室外機には、運搬者が手を差し入れて当該室外機の一部を掴むことができるようにする取手が設けられている。すなわち、運搬者は、当該取手を利用して室外機の一部を掴んで室外機を持ち上げて室外機を運搬することができる。
【先行技術文献】
【特許文献】
【０００３】
【特許文献１】特開平７−３０１４３４号公報
【発明の概要】
【発明が解決しようとする課題】
【０００４】
例えば、ビル用の大型空気調和機に用いられる大型の室外機の場合、当該大型室外機は運搬者の背丈に近い寸法があり、重量も非常に大きい。この大型室外機は、その運搬時には、複数人で当該室外機を持ち上げたり、或いは、大型の形状のためにエレベータに搭載することができず、複数人で階段を使って当該室外機を運搬する必要性も生じ得る。このとき、当該室外機を、直立姿勢を維持して運搬することは困難であるため、当該室外機を傾斜させた姿勢で運搬することが多い。当該室外機を傾斜させた姿勢で運搬すると、内部に配設されている圧縮機等も傾くため、圧縮機内の冷媒が圧縮機外に漏れるおそれも生じる。しかし、運搬者が、圧縮機内の冷媒が圧縮機外に漏れない姿勢を保って当該室外機を掴んで持ち上げ、所望の設置場所に移動させることは容易ではない。
【０００５】
本発明は、上記の問題を解決するためになされたもので、運搬者が、圧縮機内の冷媒が圧縮機外に漏れない姿勢に容易に保つことができ、比較的簡単に所望の設置場所に移動させることが可能な空気調和機の室外機を提供することを目的とする。
【課題を解決するための手段】
【０００６】
請求項１に記載の発明は、当該室外機の外形をなす室外機ケーシングと、
前記室外機ケーシング内に設けられた圧縮機と、
前記室外機ケーシングをなす一側面の上部に設けられた取手とを備え、
吐出配管又は吸入配管の少なくとも一方が前記圧縮機の一側部寄りに配設され、当該吐出配管又は吸入配管が配設されている圧縮機側部とは異なる側の前記室外機ケーシングの側面に、前記取手が設けられている空気調和機の室外機である。
【０００７】
この発明によれば、吐出配管又は吸入配管の少なくとも一方が圧縮機の一側部寄りに配設され、当該吐出配管又は吸入配管が配設されている圧縮機側部とは異なる側の前記室外機ケーシングの側面に上記取手が設けられているので、運搬者が、当該室外機の運搬時に、当該取手に手を差し入れて当該室外機を掴んで持ち上げたとき、この取手が設けられている室外機ケーシング側面を下向きにした姿勢で室外機を持ち上げることが可能になる。このため、この姿勢で当該室外機が運搬される場合、当該下向きとなる室外機ケーシング側面とは反対側となる圧縮機側部、すなわち、上記吐出配管又は吸入配管の少なくとも一方が設けられている圧縮機側部には、圧縮機内の冷媒が向かわないことになるので、圧縮機内の冷媒が圧縮機内から当該配管を通じて圧縮機外に漏れ出すおそれを低減することが可能になる。
【０００８】
また、請求項２に記載の発明は、当該室外機の外形をなす室外機ケーシングと、
前記室外機ケーシング内に設けられた圧縮機と、
前記室外機ケーシングをなす一側面の上部に設けられた取手とを備え、
前記圧縮機には吐出配管及び吸入配管が配設され、当該一方の配管は、当該圧縮機に配設された他方の配管よりも、当該圧縮機における高さが低い位置に配設され、
少なくとも前記配設高さ位置が低い配管が配設されている側面とは異なる側の前記室外機ケーシングの側面に、前記取手が設けられている空気調和機の室外機である。
【０００９】
この発明では、圧縮機に吐出配管と吸入配管とが異なる高さ位置に配設されており、吐出配管と吸入配管とが当該圧縮機の異なる側部に配設されている場合に、当該室外機を、取手が設けられている室外機ケーシング側面を下向きにした姿勢で運搬しても、圧縮機における配設高さ位置が低い方の配管には、圧縮機内の冷媒が向かわないことになるので、圧縮機内の冷媒が圧縮機内から圧縮機外に漏れ出すおそれを低減することが可能になる。
【００１０】
また、請求項３に記載の発明は、請求項１又は請求項２に記載の空気調和機の室外機であって、前記取手が設けられている前記室外機ケーシングの側面は、当該室外機ケーシングの背面とされているものである。
【００１１】
この発明によれば、取手が室外機ケーシングの背面に設けられているので、当該室外機が正面側から視認されたときに当該取手が見えないため、景観に優れる。
【００１２】
また、請求項４に記載の発明は、請求項１乃至請求項３のいずれかに記載の空気調和機の室外機であって、前記取手は、運搬者の手を受入可能に前記背面に形成された開口を有して当該開口から前記室外機ケーシング内部に向かって延びる受入口と、当該受入口から繋がって上方に延び、前記開口が形成されている前記背面側に折り返してなる曲折部と、当該曲折部を閉口させると共に当該曲折部の下部であって前記受入口の上部となる位置まで延び、前記運搬者による把持が可能に形成された把持部と、を有するものである。
【００１３】
この発明によれば、運搬者は、取手の受入口から室外機ケーシング内部まで手を差し入れることができ、更に、曲折部において当該差し入れた手を曲げて把持部を掴むことで、当該室外機を安定して持ち上げることが可能になる。
【００１４】
また、請求項５に記載の発明は、請求項１乃至請求項４のいずれかに記載の空気調和機の室外機であって、前記室外機ケーシングの下部であって、前記取手が設けられている側面とは反対側となる側面寄りの部分が、前記運搬者の手を差し入れ可能な形状とされているものである。
【００１５】
この発明によれば、室外機ケーシングの下部であって、取手が設けられている側面とは反対側となる側面寄りの部分が、運搬者の手を差し入れ可能な形状とされているので、運搬者が、容易に、取手が設けられている室外機ケーシング側面を下向きにし、当該側面とは反対側の側面を上向きとした姿勢で、当該室外機を運搬することができる。
【００１６】
また、請求項６に記載の発明は、請求項１乃至請求項５のいずれかに記載の空気調和機の室外機であって、前記取手は、前記室外機ケーシングの側面の上部に複数設けられている。
【００１７】
この発明によれば、取手が室外機ケーシングの側面の上部に複数設けられているので、運搬者が両手で当該室外機を掴みやすく、また、複数の運搬者で当該室外機を移動させる場合には、複数の運搬手のそれぞれの手を各取手に差し入れて確実に当該室外機を掴んで運搬することが可能になる。
【００１８】
また、請求項７に記載の発明は、請求項１乃至請求項６のいずれかに記載の空気調和機の室外機であって、前記室外機ケーシング内に設けられ、冷媒回路により前記圧縮機に接続された熱交換器と、
前記室外機ケーシング内に設けられ、前記室外機ケーシング外の空気を取り込んで前記熱交換器に対して送風するファンと、
前記室外機ケーシングの上面に設けられ、前記ファンによる送風で前記熱交換器を通過した空気を上方に吹き出させて前記室外機ケーシング外に排出する排気口と
を更に備えたものである。
【００１９】
熱交換器を通過した空気を上方に排出する排気口が室外機ケーシングの上面に設けられた室外機は、熱交換器前後の空気流路が鉛直方向に長く設けられ、その形状が縦長となるが、このような形状の室外機であっても、上記取手を利用することで、運搬者は容易に当該室外機の姿勢を、取手が設けられている室外機ケーシング側面を下向きに保つことが容易であり、これにより、圧縮機内の冷媒が圧縮機内から圧縮機外に漏れ出すおそれを低減することが可能になる。
【発明の効果】
【００２０】
本発明によれば、運搬者が、当該室外機を、圧縮機内の冷媒が圧縮機外に漏れるおそれが少ない姿勢に容易に保つことができ、この状態で当該室外機を比較的簡単に所望の設置場所に移動させることが可能になる。
【図面の簡単な説明】
【００２１】
【図１】本発明の一実施形態に係る室外機を含む空気調和機の冷媒回路図である。
【図２】本発明の一実施形態に係る室外機の外観図である。
【図３】本発明の一実施形態に係る室外機を背面から見た外観図である。
【図４】室外機ケーシングの一部や室外ファンを取り除いた状態での室外機の斜視図である。
【図５】室外機の内部上面視図である。
【図６】室外機の室外機ケーシングの背面部に設けられた取手部分を示す図である。
【図７】取手部分の側断面図であり、図６のIV-IV線での断面図である。
【図８】（ａ）は室外機ケーシング内の圧縮機の平面図、（ｂ）は室外機ケーシング内の圧縮機の側面図である。
【図９】運搬者Ｄによる正面部下部への手の差し入れ方を示す図である。
【図１０】室外機が運搬者によって運搬される様子を示す図である。
【図１１】図１０におけるａ部分の拡大図であり、運搬者による取手２０への手の差し入れ方を示す図である。
【図１２】室外機の運搬時における圧縮機内の冷媒の様子を示す図である。
【発明を実施するための形態】
【００２２】
以下、本発明の一実施形態に係る空気調和機の室外機について図面を参照して説明する。図１は本発明の一実施形態に係る室外機を含む空気調和機の冷媒回路図、図２は本発明の一実施形態に係る室外機の外観図、図３は本発明の一実施形態に係る室外機を背面から見た外観図、図４は室外機ケーシングの一部や室外ファンを取り除いた状態での室外機の斜視図、図５は室外機の内部上面視図である。図６は、室外機の室外機ケーシングの背面部に設けられた取手部分を示す図である。図７は取手部分の側断面図であり、図６のIV-IV線での断面図である。図８（ａ）は室外機ケーシング内の圧縮機の平面図、（ｂ）は室外機ケーシング内の圧縮機の側面図である。図９は、運搬者Ｄによる正面部の下部への手の差し入れ方を示す図である。
【００２３】
＜空気調和機の構成＞
空気調和機１は、ビル用のマルチタイプの空気調和機であって、１つ又は複数の室外機２に対して複数の室内機３が並列に接続される構成となっている。空気調和機１の冷媒回路１１は、主として、圧縮機１０、四路切換弁１２、室外熱交換器１３、室外膨張弁１４、室内膨張弁１５、室内熱交換器１６が順に接続されたものであり、蒸気圧縮式の冷凍サイクルとなっている。
【００２４】
圧縮機１０、四路切換弁１２、室外熱交換器１３及び室外膨張弁１４は室外機２に含まれており、室内膨張弁１５及び室内熱交換器１６は室内機３に含まれている。また、四路切換弁１２と室内熱交換器１６との間はガス側冷媒連絡配管１７ａにより接続され、室外膨張弁１４と室内膨張弁１５との間は液側冷媒連絡配管１７ｂにより接続される。冷媒連絡配管１７ａ，１７ｂは、室外機２と室内機３との間に配置される。また、室外機２内には、アキュムレータやその他の付属機器も設けられているが、ここでは図示を省略している。
【００２５】
当該ビル用の空気調和機１に用いられる大型の室外機２は、その内部の冷媒回路の末端部に、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。これらの閉鎖弁１８，１９は、室外機２や室内機３を設置する時には閉状態にされている。そして、閉鎖弁１８，１９は、室外機２，室内機３を現地に設置しガス側冷媒連絡配管１７ａ及び液側冷媒連絡配管１７ｂを閉鎖弁１８，１９に接続した後に開状態とされる。なお、図１に示す空気調和機１の冷媒回路１１は、実際の回路を簡略化したものである。
【００２６】
また、図２に示すように、室外機２には、室外熱交換器１３に空気を当てて冷媒と空気との熱交換を促進させる室外ファン２９が設けられている。
【００２７】
＜空気調和機の動作＞
次に、この空気調和機１の運転動作について説明する。
【００２８】
まず、冷房運転時は、四路切換弁１２が図１において実線で示す状態に保持される。圧縮機１０から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内機３に流入する。室内機３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外機２に戻り、圧縮機１０に吸入される。
【００２９】
一方、暖房運転時は、四路切換弁１２が図１において破線で示す状態に保持される。圧縮機１０から吐出された高温高圧のガス冷媒は、四路切換弁１２を介して各室内機３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外機２に戻る。室外機２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１０に吸入される。
【００３０】
なお、冷房運転時及び暖房運転時のいずれの場合においても、停止中の室内機３の室内膨張弁１５は閉状態になっており、その室内機３の室内熱交換器１６には冷媒が殆ど流れない。
【００３１】
＜室外機の構成＞
次に、図１〜 図９を参照して、室外機２について詳述する。なお、図４及び図５においては、説明を容易にするために、適宜、冷媒回路への接続等の図示を省略している。
【００３２】
室外機ケーシング１００の左側部１０５は、支柱８１，８２間の側壁１０５ａ、右側部１０６は、支柱８３，８４間の側壁１０５ａで構成される。支柱８１，８２と側壁１０５ａは一体的に形成されていても、側壁１０５ａが支柱８１，８２間に取り付けられていてもよい。支柱８３，８４と側壁１０５ａの構成も同様である。左側部１０５及び右側部１０６には、室外機２の室外機ケーシング１００内に空気を取り込むための空気吸込口６が設けられている。
【００３３】
室外機ケーシング１００の正面部１０２は、支柱８２，８３間の側壁１０２ａで構成される。背面部１０１は、支柱８１，８４間の側壁１０１ａで構成される。支柱８２，８３と側壁１０２ａは一体的に形成されていても、側壁１０２ａが支柱８１，８２間に取り付けられていてもよい。支柱８１，８４と側壁１０１ａの構成も同様である。
【００３４】
鉛直に延びる４本の支柱８１〜８４は、下端付近の底部（底フレーム）１０４や上部の横ステー７２及びモータ支持台７３によって互いに連結されている。モータ支持台７３には、室外ファン２９を駆動するモータ７０が据え付けられている。室外機ケーシング１００の天板２５は、その外周縁部が支柱８１〜８４あるいは左側部１０５，右側部１０６や背面部１０１に固定されており、室外ファン２９の羽根車の周囲に配置される略円筒形状のベルマウス２９ａとともに室外機２の空気吹出口を形成する。天板２５には、ベルマウス２９ａに対応する円孔が開けられており、この円孔を覆うようにして格子状の軟鋼線のファンカバー２５１（図２及び図４では図示せず）が取り付けられている。また、正面部１０２の側壁１０２ａの裏には、空気調和機１の動作を制御する制御基板を内部に備えるスイッチボックス７１が配置されている。
【００３５】
（閉鎖弁及び底フレーム）
図４は、室外機２の高さ方向の中央部分から下方を見たときの平面図である。なお、図４では天板２５等を取り外した状態で室外機１を示している。図４及び図５に示すように、底部１０４は、圧縮機１０や室外熱交換器１３などを支持するとともに、閉鎖弁取付構造２７を介して閉鎖弁１８，１９を固定する役割も果たしている。室外機２のガス側閉鎖弁１８及び液側閉鎖弁１９は、互いに隣接して並べられている。そして、ガス側閉鎖弁１８及び液側閉鎖弁１９の並びの方向は、室外機ケーシング１００の正面部１０２の側壁１０２ａに対しても左側部１０５の側壁１０５ａに対しても、概ね４５°の角度となっている。すなわち、ガス側閉鎖弁１８と液側閉鎖弁１９とは離れて配置されているとともに、左右方向（正面部１０２の側壁１０２ａに沿う方向）にオフセットされ、且つ前後方向（左側部１０５の側壁１０５ａに沿う方向）にもオフセットされている。
【００３６】
また、室外機ケーシング１００の４つの側面部のうち、室外機２の背面部１０１となる側面部には、その上部に、取手２０として、２つの取手２０R，２０Lが設けられている。なお、本実施形態では、２つの取手２０R，２０Lが設けられている例を説明するが、取手２０の数を限定する趣旨ではない。
【００３７】
圧縮機１０には、上述した冷媒回路１１に繋がる吐出配管３０１及び吸入配管３０２が配設されている。本実施形態では、吐出配管３０１及び吸入配管３０２の両方は、図４，図５，図８（ａ）（ｂ）に示すように、圧縮機１０において同一の側部１０ａに配設されている。圧縮機１０は、吐出配管３０１及び吸入配管３０２が配設されている側部１０ａが、取手２０R，２０Lの設けられている背面部１０１とは異なる側（例えば、当該背面部１０１には対向していない側）に向く位置に設けられている。例えば、吐出配管３０１又は吸入配管３０２のいずれもが配設されていない圧縮機１０の側部１０ｂに対向する室外機ケーシング１００の側面となる背面部１０１に各取手２０R，２０Lが設けられている。換言すると、吐出配管３０１又は吸入配管３０２が配設されている圧縮機１０の側部１０ａに対向している側面とは異なる側に位置する室外機ケーシング１００の側面である背面部１０１に各取手２０R，２０Lが設けられている。
【００３８】
各取手２０R，２０Lは、背面部１０１の上部であって、熱交換器１３よりも上方となる位置に設けられていることが好ましい。また、本実施形態のように、室外機１が上吹型の室外機の場合、熱交換器１３よりも上方となる位置であって、室外機ケーシング１００において天板２６（ベルマウス２９ａ）が配置される背面部１０１の高さ位置に、取手２０R，２０Lが配設される。これにより、取手２０R，２０Lを配設するために室外機ケーシング１００内に備えられる機器の形状や配置を変更する必要なく、背面部１０１の内壁からベルマウス２９ａまでに存在する空間を利用して、取手２０R，２０Lを背面部１０１に設けることができる。
【００３９】
なお、当該実施形態では、吐出配管３０１及び吸入配管３０２の両方が、圧縮機１０における同一の側部１０ａに配設されているが、本発明は、吐出配管３０１及び吸入配管３０２の両方が同一の側部１０ａに配設されている構成に限定されるものではない。例えば、吐出配管３０１と吸入配管３０２とがそれぞれ圧縮機１０においてそれぞれ異なる側部に設けられている場合は、(1)圧縮機１０における当該吐出配管３０１と吸入配管３０２のいずれもが配設されていない側部に対向する室外機ケーシング１００の側面部を背面部１０１として、当該背面部１０１に各取手２０R，２０Lが設けられるようにしてもよいし、(2) 圧縮機１０における当該吐出配管３０１と吸入配管３０２の少なくとも一方が配設されている側部に対向する側面部とは異なる室外機ケーシング１００の側面部を背面部１０１として、当該背面部１０１に各取手２０R，２０Lが設けられるようにしてもよい。
【００４０】
また、本発明は、圧縮機１０に対して吐出配管３０１が接続される高さ位置と、圧縮機１０に対して吸入配管３０２が接続される高さ位置の関係は、特に限定されるものではないが、図４，図５，図８（ｂ）に示すように、圧縮機１０に対して吐出配管３０１が接続される高さ位置と、圧縮機１０に対して吸入配管３０２が接続される高さ位置とが異なる場合は、圧縮機１０での配設高さ位置が低い方の配管（本実施形態では吐出配管３０１）が接続されている圧縮機１０の側部に対向していない室外機ケーシング１００の側面（配設高さ位置が低い方の配管側の圧縮機１０側部に対向している室外機ケーシング側面とは異なる側面）が、各取手２０R，２０Lが設けられている背面部１０１となるように設定される。
【００４１】
それぞれの取手２０R，２０Lは、図７に示すように、受入口２０１と、曲折部２０２と、把持部２０３とを有する。背面部１０１には、開口２０１ａが形成されており、この開口２０１ａから運搬者が手を差し入れ可能とされている。受入口２０１は、当該開口２０１ａを備え、当該開口２０１ａから室外機ケーシング１００の内部に向かって延びるように形成されている。曲折部２０２は、受入口２０１から繋がって上方に向かって（室外機ケーシング１００の上面に向かって）延び、開口２０１ａが形成されている背面部１０１側に向かって折り返すように形成されている。把持部２０３は、遮蔽壁部２０３１と把持部材２０３２とを有する。遮蔽壁部２０３１は、曲折部２０２を遮蔽して閉口させる壁状面である。遮蔽壁部２０３１は、曲折部２０２の下部となる位置であって受入口２０１の上部となる位置まで延びる。把持部材２０３２は、遮蔽壁部２０３１の下部に設けられており、運搬者が手での把持が可能になるように、背面部１０１方向から室外機ケーシング１００内部に突出するように形成されている。
【００４２】
また、室外機ケーシング１００の下部であって、取手２０R，２０Lが設けられている背面部１０１とは反対側の側面である正面部１０２の下部は、図９に示すように、側壁１０２ａが設けられていない。室外機ケーシング１００の枠組みをなす支柱８２，８３（図９には支柱８３を図示）は、室外機ケーシング１００の底部１０４まで到達しているが、側壁１０２ａは底部１０４まで到達しておらず、当該側壁１０２ａの下端部から底部１０４までは空隙となっている。
【００４３】
また、正面部１０２に隣り合わせている右側部１０６と、当該右側部１０６と左側部１０５は、それぞれの下部の少なくとも一部は、側壁（右側部１０６の場合は側壁１０６ａ）が設けられていない。当該両方の左側部１０５，右側部１０６において、支柱８１〜８４は室外機ケーシング１００の底部１０４まで到達しているが、側壁は底部１０４まで到達しておらず、両方の側部１０５，１０６の一部は空隙とされている。
【００４４】
これにより、(1)運搬者は正面部１０２の側壁１０２ａの下方の当該空隙と、右側部１０６の側壁１０６ａの空隙とから手を差し入れて、側壁１０６ａ及び支柱８３を把持すること、さらには、(2)運搬者は正面部１０２の側壁１０２ａの下方の当該空隙と、左側部１０５の側壁の空隙とから手を差し入れて、側壁１０２ａ及び支柱８２を把持すること、が可能とされている。
【００４５】
なお、上記でいう側壁１０１ａ、側壁１０２ａ、側壁１０６ａ、及び側壁１０５ａには、壁状の板部材、又は空気吸込口６の一部をなす部材等のいずれも含まれる。
【００４６】
次に、室外機２の運搬方法を説明する。図１０は室外機２が運搬者によって運搬される様子を示す図である。図１１は、図１０におけるａ部分の拡大図であり、運搬者による取手２０R，２０Lへの手の差し入れ方を示す図である。図１２は室外機２の運搬時における圧縮機１０内の冷媒の様子を示す図である。
【００４７】
例えば４人の運搬者によって室外機２を運搬する場合を説明する。室外機２を運搬する際、図１０に示す運搬者Ｂ（室外機２の背面部１０１に対して右寄りとなる立ち位置の運搬者）の場合、図１１に示すように、運搬者Ｂの左手を右側の取手２０Rに差し入れて当該取手２０Rを左手で掴み、右の掌を取手２０Rの更に左側に位置する支柱８１に添える。
【００４８】
一方、図１０に示す運搬者Ａ（室外機２の背面部１０１に対して左寄りとなる立ち位置の運搬者）の場合、運搬者Ｂとは逆に、運搬者Ａの右手を左側の取手２０Lに差し入れて当該取手２０Lを右手で掴み、左の掌を取手２０Lの更に左側に位置する支柱８４に添える。
【００４９】
そして、図１０に示す運搬者Ｄ（室外機２の正面部１０２に対して右寄りとなる立ち位置の運搬者）は、図９に示すように、運搬者Ｄの右手を、右側面部１０６の側壁１０６ａの下方の空隙から差し入れて側壁１０６ａの下部を掴み、左手の掌を支柱８３に添える。
【００５０】
一方、図１０に示す運搬者Ｃ（室外機２の正面部１０２に対して左寄りとなる立ち位置の運搬者）は、運搬者Ｃの左手を、左側部１０５の側壁１０５ａの下方の空隙から差し入れて側壁１０５ａの下部を掴み、右手の掌を支柱８２に添える。
【００５１】
上記のようにして、運搬者Ａ及びＢは、背面部１０１を下向きとした姿勢で取手２０R，２０Lと支柱８１，８４とを掴み、運搬者Ｃ及びＤが正面部１０２の側壁１０２ａと支柱８２，８３とを掴んで持ち上げると、運搬者Ｃ及びＤは、当該背面部１０１よりも上方に位置することになる正面部１０２の両側の支柱８２，８３と、左側壁１０５ａ及び右側壁１０６ａとを掴んで持ち上げることになるため、図１０に示すように、室外機２の上部が上方に位置し、室外機２の下部が室外機２の上部よりも下方に位置する姿勢となる。
【００５２】
このように室外機２の背面部１０１が下向きとされ、室外機２の上部が上方に位置する姿勢で室外機２が運搬されると、圧縮機１０において吐出配管３０１及び吸入配管３０２が配設されている側部１０ａは、下向きとされている背面部１０１には対向しないため、室外機２内の圧縮機１０は、図１２に示す姿勢に傾き、従って、圧縮機１０内の冷媒は、吐出配管３０１及び吸入配管３０２が圧縮機１０に接続されている部分には向かわない。このため、運搬者は、上記取手２０R，２０Lを備える室外機２を、圧縮機１０内の冷媒が漏れ出すおそれなく、手動で運搬することが可能になる。
【００５３】
なお、本発明は上記実施の形態の構成に限られず種々の変形が可能である。例えば、上記実施形態では、取手２０R，２０Lが設けられている室外機ケーシング１００の側部は背面部１０１とされているが、これには限定されない。例えば、取手２０R，２０Lが設けられている室外機ケーシング１００の側部は、(1)吐出配管３０１及び吸入配管３０２のいずれもが配設されていない圧縮機１０の側部１０ａに対向する室外機ケーシング１００の側面であるか、(2)吐出配管３０１及び吸入配管３０２の一方の配管が他方の配管よりも圧縮機１０において低い高さ位置に配設されている場合は、少なくとも当該配設高さ位置が低い方の配管が配設されている圧縮機１０の側部に対向している室外機ケーシング１００の側面とは異なる位置にある側面であれば、背面部１０１でなくても構わない。
【００５４】
また、上記実施形態に示した取手２０R，２０Lの形状及び数は単なる一例に過ぎず、取手の形状や数を限定する趣旨ではない。
【００５５】
また、上記実施形態では、室外機２は、室外機ケーシング１００の上面部に空気吹出口が設けられた上吹型の室外機とされているが、これは単なる一例であり、本発明に係る室外機を上吹型の室外機に限定する趣旨ではなく、他の構造からなる室外機であっても構わない。
【符号の説明】
【００５６】
１            空気調和機
２            室外機
１０          圧縮機
１０ａ        側部
１０ｂ        側部
１１          冷媒回路
１２          四路切換弁
２０          取手
２０R，２０L  取手
２０１        受入口
２０１ａ      開口
２０２        曲折部
２０３        把持部
２０３１      遮蔽壁部
２０３２      把持部材
１００        室外機ケーシング
１０１ａ      側壁
１０１        背面部
１０２        正面部
１０２ａ      側壁
１０４        底部
１０５        左側部
１０５ａ      左側壁
１０６        右側部
１０６ａ      右側壁
３０１        吐出配管
３０２        吸入配管
【図１】
2010181130.tif 000003
【図２】
2010181130.tif 000004
【図３】
2010181130.tif 000005
【図４】
2010181130.tif 000006
【図５】
2010181130.tif 000007
【図６】
2010181130.tif 000008
【図７】
2010181130.tif 000009
【図８】
2010181130.tif 000010
【図９】
2010181130.tif 000011
【図１０】
2010181130.tif 000012
【図１１】
2010181130.tif 000013
【図１２】
2010181130.tif 000014